Podtech/llm-jp-corpus-v4-ja_patent huggingface dataset:
(57)【要約】【課題】低コストで、複数のバッテリーのバランスを調整すること。【解決手段】電子機器１は、複数のバッテリー２、３と、疑似負荷４に接続された増幅器５と、複数のバッテリー２、３の電圧を監視し、複数のバッテリー２、３の電圧に応じて、疑似負荷４に接続された増幅器５により、複数のバッテリー２、３のいずれかを放電させる電圧監視回路６と、を備える。電子機器１は、複数のバッテリー２、３を充電するチャージャー７をさらに備える。【選択図】図１
2020054027.tif 000002
【特許請求の範囲】
【請求項１】
複数のバッテリーと、
疑似負荷に接続された増幅器と、
前記複数のバッテリーの電圧を監視し、前記複数のバッテリーの電圧に応じて、前記疑似負荷に接続された前記増幅器により、前記複数のバッテリーのいずれかを放電させる電圧監視回路と、を備えることを特徴とする電子機器。
【請求項２】
前記電圧監視回路は、前記複数のバッテリーのうち、満充電のバッテリーを放電させることを特徴とする請求項１に記載の電子機器。
【請求項３】
前記複数のバッテリーを充電する充電回路をさらに備えることを特徴とする請求項１又は２に記載の電子機器。
【請求項４】
前記充電回路は、前記複数のバッテリーのうち、満充電のバッテリーを充電しないことを特徴とする請求項３に記載の電子機器。
【請求項５】
前記複数のバッテリーは、直列に接続されていることを特徴とする請求項１〜４のいずれか１項に記載の電子機器。
【発明の詳細な説明】
【技術分野】
【０００１】
本発明は、複数のバッテリーを備える電子機器に関する。
【背景技術】
【０００２】
複数のバッテリーを備える電子機器がある。このような電子機器において、複数のバッテリーが直列接続されている場合、複数のバッテリーの容量には、誤差があり、複数のバッテリーは、全て容量が同じであるとは限らない。このため、容量のアンバランスを補正するために、バランサーが必要となる（例えば、特許文献１参照。特許文献１では、セルバランス部と呼ばれている。）。
【先行技術文献】
【特許文献】
【０００３】
【特許文献１】特開２０１５−０６１３３５号公報
【発明の概要】
【発明が解決しようとする課題】
【０００４】
しかしながら、複数のバッテリーを備える電子機器に、上記のバランサーを搭載すると、コストが増加するという問題がある。
【０００５】
本発明の目的は、低コストで、複数のバッテリーのバランスを調整することである。
【課題を解決するための手段】
【０００６】
第１の発明の電子機器は、複数のバッテリーと、疑似負荷に接続された増幅器と、前記複数のバッテリーの電圧を監視し、前記複数のバッテリーの電圧に応じて、前記疑似負荷に接続された前記増幅器により、前記複数のバッテリーのいずれかを放電させる電圧監視回路と、を備えることを特徴とする。
【０００７】
本発明では、電圧監視回路は、複数のバッテリーの電圧に応じて、疑似負荷に接続された増幅器により、複数のバッテリーのいずれかを放電させる。これにより、バランサーを追加することなく、複数のバッテリーのバランスを調整することができる。このため、低コストで、複数のバッテリーのバランスを調整することができる。
【０００８】
第２の発明の電子機器は、第１の発明の電子機器において、前記電圧監視回路は、前記複数のバッテリーのうち、満充電のバッテリーを放電させることを特徴とする。
【０００９】
第３の発明の電子機器は、第１又は第２の発明の電子機器において、前記複数のバッテリーを充電する充電回路をさらに備えることを特徴とする。
【００１０】
第４の発明の電子機器は、第３の発明の電子機器において、前記充電回路は、前記複数のバッテリーのうち、満充電のバッテリーを充電しないことを特徴とする。
【００１１】
第５の発明の電子機器は、第１〜第４のいずれかの発明の電子機器において、前記複数のバッテリーは、直列に接続されていることを特徴とする。
【発明の効果】
【００１２】
本発明によれば、低コストで、複数のバッテリーのバランスを調整することができる。
【図面の簡単な説明】
【００１３】
【図１】本発明の実施形態に係る電子機器の構成を示すブロック図である。
【発明を実施するための形態】
【００１４】
以下、本発明の実施形態について説明する。図１は、本発明の実施形態に係る電子機器の構成を示すブロック図である。電子機器１は、例えば、音声を増幅して出力する増幅装置である。電子機器１は、バッテリー２、３と、疑似負荷４と、増幅器５と、電圧監視回路６と、充電回路７と、を備える。
【００１５】
バッテリー２とバッテリー３とは、直列に接続されている。例えば、プラス側のバッテリー２は、マイナス側のバッテリー３よりも、容量が低い。増幅器５は、疑似負荷４に接続されている。増幅器５は、通常、音声を増幅するために使用される。電圧監視回路６は、バッテリー２、３の電圧を監視する。チャージャー７（充電回路）は、バッテリー２、３を充電する。
【００１６】
上述したように、例えば、プラス側のバッテリー２の電池の容量が、マイナス側のバッテリー３の容量よりも低い場合、プラス側のバッテリー２と、マイナス側のバッテリー３と、が同時に、チャージャー７により充電されると、先にプラス側のバッテリー２が、満充電となる。その後、プラス側のバッテリーは、過充電となる可能性がある。そのため、電圧監視回路６は、プラス側のバッテリー２が満充電となった場合、疑似負荷４を経由して、増幅器４から、プラス側のバッテリー２を放電する。また、チャージャー７は、プラス側のバッテリー２を充電せず、マイナス側のバッテリー３のみを充電する。
【００１７】
すなわち、電圧監視回路６は、バッテリー２、３の電圧を監視し、バッテリー２、３の電圧に応じて、疑似負荷４に接続された増幅器５により、バッテリー２、３のいずれかを放電させる。これにより、バランサーを追加することなく、バッテリー２、３のバランスを調整することができる。このため、低コストで、複数のバッテリー２、３のバランスを調整することができる。
【００１８】
また、電圧監視回路６は、バッテリー２、３のうち、満充電のバッテリーを放電させる。また、チャージャー７は、バッテリー２、３のうち、満充電のバッテリーを充電しない。
【００１９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２０】
上述の実施形態においては、電子機器１は、２つのバッテリー２、３を備えるが、３個以上のバッテリーを備えていてもよい。
【産業上の利用可能性】
【００２１】
本発明は、複数のバッテリーを備える電子機器に好適に採用され得る。
【符号の説明】
【００２２】
１  電子機器
２、３  バッテリー
４  疑似負荷
５  増幅器
６  電圧監視回路
７  チャージャー（充電回路）
【図１】
2020054027.tif 000003
(57)【要約】【課題】野ぶどうは、日本や中国の自然豊かな地方で万能治療薬として利用されていましたが、そのままではとても不味くて食べられないため、蜂蜜やレモン果汁の酸味によって、より多くの人に飲みやすい飲料として提供する。【解決手段】野ぶどうの実を蜂蜜で６ヶ月以上漬け込み成分を抽出させた後、実は取り出し、同量の蜂蜜を加える。そこへ更に同量のレモン果汁を混合させ、これを原液とする。原液を８〜１０倍の水・お湯・炭酸水等で希釈し飲用する。【選択図】なし【特許請求の範囲】
【請求項１】
野ぶどうの実を蜂蜜に漬ける「浸透圧抽出法」により野ぶどうの実から抽出された成分が含まれた蜂蜜。
【請求項２】
前記を冷暗所にて保管した後、野ぶどうの実を取り出し同量の蜂蜜を加えた蜂蜜。
【請求項３】
請求項２記載の蜂蜜と、同量のレモン果汁を混合した蜂蜜。
【発明の詳細な説明】
【技術分野】
【０００１】本発明は、野ぶどうの実を蜂蜜で漬けることで最大限の成分が抽出でき、飲みやすい味を提供する。
【背景技術】
【０００２】野ぶどうには様々な成分が含まれており、特に肝臓に関しての効能がすばらしく、脂肪肝と肝硬変の改善に役立つ薬草として知られていますが、そのままではとても不味くて食べられるものではないため、蜂蜜とレモン果汁で飲みやすく製造したものです。
【発明の概要】
【発明が解決しようとする課題】
【０００１】野ぶどうの実を最大限抽出し、誰もが飲みやすいものとする。
【課題を解決するための手段】
【０００１】野ぶどうの実を蜂蜜に漬けレモン果汁を混合することにより、より多くの有効成分を抽出したものを飲みやすくした。
【発明を実施するための形態】
【０００１】野ぶどうの実を蜂蜜に漬け、６ヶ月以上冷暗所で保管する。
【０００２】野ぶどうの実を取り出し、残った野ぶどうの実成分含有蜂蜜と、さらに同量の蜂蜜で希釈し、更に同量のレモン果汁と混合して瓶詰めにする。
(57)【要約】【課題】  茅葺屋根に使用した場合に、美観を損なうことなく、しかも簡単な構造で手間と費用がかからず、鳥類を近づけないようにする鳥除け具を提供する。【解決手段】  鳥除け具１は、棒状体２と、線状部材３ａを円形に形成した鳥除け部３と備え、鳥除け部３は棒状体２の一端部２ａに取り付けられている、棒状体２は、縦割りにした竹材であり、一端部２ａに竹節を有し、他端部は尖っている。鳥除け部３は、棒状体２の一端部２ａの竹節が抜け止めとなるように、竹節に隣接して取り付けられている。【選択図】図１
2020054322.tif 000002
【特許請求の範囲】
【請求項１】
棒状体と、線状部材を円形に形成した鳥除け部と備え、鳥除け部は棒状体の一端部に取り付けたことを特徴とする鳥除け具。
【請求項２】
前記棒状体は、縦割りにした竹材であり、前記一端部に竹節を有し、他端部は尖っており、前記鳥除け部は、前記棒状体の前記竹節が抜け止めとなるように、前記竹節に隣接して取り付けられている、請求項１に記載の鳥除け具。
【発明の詳細な説明】
【技術分野】
【０００１】      本発明は、鳥が茅葺屋根、建造物等に近づかなくするための装置に関する。
【背景技術】
【０００２】  茅葺屋根に鳥類（特にカラス）が飛来し、茅を引き抜いたり茅の中の虫をついばみ、茅葺屋根を傷つけている。
従来は、屋根面に線状部材を張り巡らせていたが、取付金具の設置等、手間と費用がかかっていた（図５参照。）。
また、他の建造物に対しての糞害や食餌行為による農作物、生ゴミを食い荒らしている。この鳥害に対しては、金網やネットを用いて対策をしているが、やはり手間と費用がかかってしまう。
また、従来の鳥除け具として、線状部材をコイル状に形成したものがあった（特許文献１）。
【先行技術文献】
【特許文献】
【０００３】
【特許文献１】特開平２−２３８８４２
【発明の概要】
【発明が解決しようとする課題】
【０００４】  しかしながら、特許文献１記載のものは、屋根の棟の全体に固着させる必要があるため、茅葺屋根に使用する場合、見た目が悪くなり、美観を損なう問題があった。
そこで、本発明は、上記問題点を解決するため、茅葺屋根に使用した場合に、美観を損なうことなく、しかも簡単な構造で手間と費用がかからず、鳥類（特にカラス）を茅葺屋根等の建造物や農作物、生ゴミ等に近づかなくなる鳥除け具を提供することを目的とする。
【課題を解決するための手段】
【０００５】  本発明の鳥除け具は、棒状体と、線状部材を円形に形成した鳥除け部と備え、鳥除け部は棒状体の一端部に取り付けたことを特徴とする。【０００６】  本発明によれば、鳥除け具の鳥除け部（円形の線状部材）が露出した状態で茅葺屋根等差し込まれており、鳥類が近づいた時、鳥除け部が罠と判断して数メートルは近寄らなくなるものである。
【発明の効果】
【０００７】  本発明によれば、簡単な構造と施工で、飛来する鳥類（カラス）が近づくことを防止することができる。茅葺屋根の場合、わずか数十個の施工で、屋根面全体に効果がみられ、あまり目立たないため、美観も損なわない。さらに、屋根の他、建造物や農作物、生ゴミ等にも鳥類が近づかなくなる。
【図面の簡単な説明】
【０００８】
【図１】本発明の一実施の形態による鳥除け具を示し、（ａ）はその全体図、（ｂ）はその棒状体の図、（ｃ）はその鳥除け部の図を示す。
【図２】図１の鳥除け具の取付方法を示す図である。
【図３】図１の鳥除け具の取付方法を示す断面図である。
【図４】図１の鳥除け具を複数取り付けた状態を示す図である。
【図５】従来の鳥除け具を複数取り付けた状態を示す図である。
【発明を実施するための形態】
【０００９】  本発明の一実施の形態による鳥除け具１は、図１に示すように、棒状体２と、線状部材３ａを円形に形成した鳥除け部３と備え、鳥除け部３は棒状体２の先端部２ａ（本発明の一端部に相当）に取り付けた構成である。
【００１０】  前記鳥除け部３は、メッキ加工した鉄線やステンレス線など、線状部材３ａを円形に形成して鳥除け部３が得られる。
【００１１】  前記棒状体２は、竹、木、金属、プラスチックなど棒状のものから構成されている。中でも、竹を用いることが好ましい。竹を使う場合は、太さによるが、２分の１〜４分の１に割り、幅１ｃｍ〜２ｃｍ程度、長さ６０ｃｍ前後の丸みを帯びた棒状のものが好ましい。そして、棒状体２の先端部２ａに鳥除け部３取り付ける。なお、棒状体２の他端側は尖っている。
【００１２】  鳥除け部３の取付は、図１（ａ）に示すように、棒状体２の先端部２ａに竹節があって、この竹節の内側（他端側）に隣接するように円形の鳥除け部３を取り付けることにより、鳥除け部３が棒状体２から抜け落ちることが防止できる。
【００１３】  次に、鳥除け具１の取付方法を図２及び図３に基づいて説明する。
図２に示すように、棒状体２の他端側の尖先を茅葺屋根４に挿入し、そのまま押し込んで、円形の鳥除け部３が茅葺屋根４から露出するように備える。図３に示すように、茅葺屋根４はおおよそ４５°の角度で傾斜しており、茅葺屋根４を構成する茅（芦、葦）、藁などは、僅かに外側に向かって下方に垂れるように葺（ふ）かれている。棒状体２は、茅、藁に沿って差し込まれる。円形の鳥除け部３は、茅葺屋根４の表面から起立するように、棒状体２に取り付けられている。
同様の手順を繰り返すことにより、図４に示すように、鳥除け具１を茅葺屋根４に適当な間隔（１ｍ〜２ｍ）で配置する。本発明の特徴は、取付方法が差し込むだけで足り、また簡単に差し直しができる。
【００１４】  実験によれば、毎日茅葺屋根に集団で飛来し、茅を引き抜いていたカラスが、鳥除け具１を取付けたことにより、まったく近づかなくなった。これはカラスが、知能が高く、鳥除け具を罠と認識したものと考えられる。
【００１５】  本発明の鳥除け具は、茅葺屋根の他、建造物、農作物、生ゴミ等の鳥が近づくことを防止したい場所にも適宜取り付けられる。
【符号の説明】
【００１６】１  鳥除け具
２  棒状体
２ａ  先端部（一端部）
３  鳥除け部
３ａ  線状部材
４  茅葺屋根
【図１】
2020054322.tif 000003
【図２】
2020054322.tif 000004
【図３】
2020054322.tif 000005
【図４】
2020054322.tif 000006
【図５】
2020054322.tif 000007
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
棒状体と、線状部材を円形に形成した鳥除け部と備え、鳥除け部は棒状体の一端部に取り付け、
前記鳥除け部が露出した状態となるように、前記棒状体をその他端部側から茅葺屋根の茅や藁に沿って差し込まれたことを特徴とする茅葺屋根用鳥除け具。
【請求項２】
前記棒状体は、縦割りにした竹材であり、前記一端部に竹節を有し、他端部は尖っており、前記鳥除け部は、前記棒状体の前記竹節が抜け止めとなるように、前記竹節に隣接して取り付けられている、請求項１に記載の茅葺屋根用鳥除け具。
(57)【要約】【課題】近年、日本においても緋蟻の害が叫ばれ始め、またムカデの害も数え上げれば枚挙に暇が無い現状に、多方面の場所に対応する便利な防虫用寝具の提供。【解決手段】底布（７）付き  ワンタッチ式蚊帳と寝袋とを新しい防虫用寝具のワンタッチ式蚊帳部（１）と寝袋部（２）としてそれぞれ組み入れ、スライドファスナー［１１］を介して一体化させることで解決を図る。【効果】前記両者をドッキングさせる事により両方の短所をカバーし、防虫用寝具として多方面の場所に対応が可能となる。【選択図】図１
2020054325.tif 000002
【特許請求の範囲】
【請求項１】
ワンタッチ式蚊帳部（１）の囲い面（８）と、寝袋部（２）の開口部（９）とを、スライドファスナー（１１）を介して縫合し、一体化させることを特徴とする防虫用寝具。
【発明の詳細な説明】
【発明の詳細な説明】
【技術分野】
【０００１】本発明は防虫用寝具に関する。
【背景技術】
【０００２】従来ある防虫用寝具は、それぞれ、単一の場所に使用する目的で作られたものであった。【０００３】
【特許文献】実登３１９８９０７
【非特許文献】ＩＳＢＮ９７８−４−８０８３−０９７３−２
【発明の概要】
【０００４】日本の住宅の台所の近辺には大概ゴキブリが住み着いていると一般に言われているが、そのゴキブリを餌にムカデも家屋の中に入り込んでくることが多く、夜行性であるムカデが夜中に寝床の中に侵入してきて人を噛むケースも多いと聞く、そのムカデや蚊などの害から守る為の多方面の場所に対応して使用できる防虫用寝具と言うものが市場には出回っていなかった。
【発明が解決しようとする課題】
【０００５】多方面の場所に適応し、且つ手軽に取り扱いが出来る防虫用寝具の提供。【０００６】人が中に入って寝るワンタッチ式の蚊帳があるが、しかしかなりの大きさからしてどうしても用途が限定されてしまうことと、また夏用の寝袋のなかに頭からすっぽりと被ってしまえば、害虫を遠ざけることが出来るかもしれないが、頭の周囲に自由な空間が少ないので、長時間入っていると息苦しくなってしまう問題が残る。
【課題を解決する為の手段】
【０００７】底布付きのワンタッチ式蚊帳の長手方向の寸法を、通常のシングルベッドの短手方向の寸法の範囲内に設定し、長手方向の囲い面のうちの一面の、下端となる一辺及び、一辺の両端からそれぞれ立ち上がる支軸の、頂点となるろくろの近くに達するところまで、下端の一辺及び支軸から、それぞれ数センチの幅の蚊帳生地を残して切り取り、次にきり残された蚊帳生地の補強の為の当て布を縫い付けた後、その当て布にスライドファスナーを更に縫い付け、そのファスナーに合わせて寝袋の開口部に宛がう生地の裁断を済ませた生地と、前記スライドファスナーの両者を縫合し、一体化させることで  解決を図る。
【０００８】寝袋部の真上の左右中央部に頭から足先に達する長さのスライドファスナーを設け、出入り口とする。
【発明の効果】
【０００９】本発明は前記両者を一体化させることにより、単なる蚊帳と呼ぶには当を得ず、また従来の寝袋とはイメージを異にする点で、まったく新しいタイプの、持ち運びが自由で多方面の場所に適応する防虫用寝具の誕生を得る。
【発明の用途】
【００１０】本発明は、車内やテントをはじめとするアウトドアー用品の一つとして、またベッドの上や、或いは和室での敷布団と掛け布団との間に本寝袋部分を挟み入れて使用することが出来、その他緊急避難用の寝具として活用が見込まれる。
【図面の簡単な説明】
【００１１】
【図１】防虫用寝具の斜視図である。
【実施の形態】
【００１２】本発明は寝袋部（２）のスライドファスナー（１２）を開いてワンタッチ式蚊帳部（１）の  底面周囲に縫い付けられた底布（７）の上に枕を置き、寝袋部（２）の中に体全体を入れた後、前記ファスナー（１２）を閉じ、前記枕に頭を乗せて寝るようにする。
【００１３】ワンタッチ式蚊帳部（１）の、支軸（３）と（４）の間の囲い面（８）と寝袋部（２）の、開口部（９）とを縫合する際、蚊帳生地の補強の為事前に当て布（１０）を枠部（１３）〜（１６）のうち（１３），（１４）に縫い付け、おなじく枠部（１３）、（１４）の両下端を繋ぐ蚊帳生地（２０）にも当て布（１０）を縫いつけた上で、スライドファスナー（１１）を介して縫合することによりセパレートの状態で持ち運びが出来たり、汚れたときに別々にして洗うことが出来る。
【００１４】ワンタッチ式蚊帳部（１）の支軸（３）〜（６）に寝袋部（２）の重みが掛かる為、支軸（３）〜（６）が歪んだり曲がったりしないように、充分な太さの素材を用いることとし、従って受け骨（１７）及び上下のろくろ（１８）、（１９）もそれに見合った強度の素材が要求される。
【００１５】使用上の便利さを考え、短手方向の囲い面の下部にスライドファスナーによる小物の取り入れ口（２１）を設ける。
【００１６】図１中、非表示になっているが、本発明を使用中何らかの原因で万が一にもスライドファスナー（１２）が故障して出られなくなった場合を想定し、囲い面（８）の背面に当たる囲い面の左右中央部、縦方向に長く伸びる面ファスナーを用いた緊急用の脱出口を設けることとする。
【産業状上の利用可能性】
【００１７】本発明は防虫用の寝具として、多方面の場所に使用出来る便利さから日本国内だけでなく、東南アジアやアフリカ、中南米にとどまらず、世界的にもユニークな防虫用寝具として、脚光を浴びる可能性を秘めており、将来輸出の面で大いに期待が見込まれる。
【００１８】前記被特許文献である、本名、ミャンマー：著者  中村羊一郎  、出版社  東京新聞の本文中８９ページ、６行目から１１行目参照・・・蟻の害について記されているが、本発明の防虫用寝具の蚊帳生地を蟻の入れない細かな網目の生地にしたなら現地の人たちに重宝がられ、将来的に見て国際貢献の道が開かれる可能性も考えられる。
【符号の説明】
【００１９】（１）ワンタッチ式蚊帳部
（２）寝袋部
（３）〜（６）支軸
（７）底布
（８）囲い面
（９）開口部
（１０）当て布
（１１）スライドファスナー「着脱用」
（１２）スライドファスナー「出入り用」
（１３）〜（１６）枠部
（１７）受け骨
（１８）上ろくろ
（１９）下ろくろ
（２０）蚊帳生地
（２１）取入れ口
【図１】
2020054325.tif 000003
(57)【要約】      （修正有）【課題】従来の火力発電、汽力発電は、蒸気の膨張力を利用した発電方式です。重油やＬＮＧ（液化天然ガス）、石炭などを燃やした熱で高温・高圧の蒸気を作り、この蒸気を使って蒸気タービンの羽根車を回し、タービンにつないだ発電機を動かし発電をしますが、同時に燃料の消費を行います。この発明により無燃料動力源装置の回転体の上に発電タービンを接続設置する事で無燃料での発電が可能になる。【解決手段】動力源棒Ａ１〜Ａ７４をエアサスペンションで回転体内、設置永久磁石の磁場と反応し回転体を回転させる物であり動力源棒の上下で回転の速さを調節する。この発明は、発電タービンの発電なので緊急停止等も必要になってくるが、この装置にも動力源棒の偶数の物をエアサスペンションで、床下に瞬時に落下させる事で可能とする。【選択図】図１
2020054212.tif 000002
【特許請求の範囲】
【請求項１】
動力源棒（上部には、永久磁石設置）をエアサスペンションにより回転体に設置している永久磁石の磁場のある所まで上昇させ、磁石の吸着、反発の力を利用して回転体を回転させる無燃料動力装置
【請求項２】
動力源棒（上部には、永久磁石）の一部だけをエアサスペンションで、床下に落下させる事で、緊急停止させる事
【発明の詳細な説明】
【技術分野】
【０００１】この発明により、動力源棒（上部に永久磁石設置）をエアサスペンションで回転体に設置の永久磁石の磁場に反応させ、磁石の吸着、反発の力を利用し回転体を回転させる。【０００２】この発明により、動力源棒（上部に永久磁石設置）のＡ−偶数の物をエアサスペンションで床下に落下させる事で緊急停止させる事が出来る。
【発明の概要】
【発明が解決しようとする課題】
【無燃料での発電が可能になる】
【課題を解決するための手段】
【回転体の上に発電タービンを設置する事で、無燃料での発電が可能となる。】
【発明の効果】
【無燃料での発電する為、化石燃料の削減になる。】
【図面の簡単な説明】
【図１】Ａ１〜Ａ７４  動力源棒  上部に永久磁石を設置  奇数Ｎ極  偶数Ｓ極  Ｂ１〜Ｂ７４  回転体内に設置された永久磁石  全て底部がＳ極  Ａ１〜Ａ７４  動力源棒  下部にエアサスペンション設置  回転体底部ＧＬにベアリング設置
【図２】Ａ１〜Ａ７４  動力源棒  Ａ偶数の物を床下に落下させる事で回転体の緊急停止
【図３】Ｂ１〜Ｂ７４  永久磁石を含む回転体単体図  回転体底部ＧＬにベアリング設置
【図４】Ａ１〜Ａ７４  動力源棒、エアサスペンションのみの図
【発明を実施するための形態】
【発電プラントでの発電装置】
【実施例】
【無燃料動力装置の回転体の上に発電タービンを設置し発電する】
【符号の説明】  ［１．Ａ１〜Ａ７４  動力源棒
２．Ｂ１〜Ｂ７４  回転体設置永久磁石
３．Ｃ  ベアリング
４．Ｄ  エアサスペンション  図面上動力源棒の下に設置ですが省略
５．ＦＬ  床上
〔符号の説明続き〕
６．ＧＬ  グランドライン
７．ａａ  ライン動力源棒永久磁石上部最大限高さ
８．ａｂ  ライン動力源棒永久磁石底部最大限高さ
９．ｂａ  ライン回転体設置永久磁石上部高さ
１０．ｂｃ  ライン回転体設置永久磁石底部高さ
【図１】
2020054212.tif 000003
【図２】
2020054212.tif 000004
【図３】
2020054212.tif 000005
【図４】
2020054212.tif 000006
(57)【要約】【課題】  本発明は、簡単に手縫いを行うために針目間隔保持目印をつけた目印付き縫い針を提供する。【解決手段】  針本体を先端部分、針目間隔保持目印部分、糸通し穴のある後端部分のそれぞれの区切りをはっきり識別できるようにしたことを特徴とする目印付き縫い針。【選択図】図１
2020054768.tif 000002
【特許請求の範囲】
【請求項１】
針本体を先端部分、針目間隔保持目印部分、糸通し穴のある後端部分のそれぞれの区切りをはっきり識別できるようにした目印付き縫い針。
【発明の詳細な説明】
【技術分野】
【０００１】  本発明は、簡単に手縫いを行うために針目間隔保持目印をつけた目印付き縫い針に関するものである。
【背景技術】
【０００２】従来、縫い針は無着色であった。
【発明の概要】
【発明が解決しようとする課題】
【０００３】そのため、次のような問題点があった。
（イ）縫い針は無着色であるため、針目を揃えて縫うための目印が無かった。
（ロ）裁縫初心者が目印無しで針目を揃えて縫うのは困難であり、
（ハ）布地に印をつけて縫うと手間と時間がかかる。
本発明は、これらの問題点を解決するためになされたものである。
【課題を解決するための手段】
【０００４】  針本体を先端部分、針目間隔保持目印部分、糸通し穴のある後端部分のそれぞれの区切りをはっきり識別できるようにした目印付き縫い針。
【発明の効果】
【０００５】（イ）ミシン等の機械に頼らず、針目を揃えてきれいに縫える。
（ロ）簡単に手早く手縫いができるので、裁縫時間の短縮につながる。
【図面の簡単な説明】
【０００６】
【図１】本発明の平面図である。
【図２】本発明を用いて縫った状態図
【図３】本発明を使用しないで縫った状態図
【発明を実施するための形態】
【０００７】以下、本発明の実施の形態について説明する。
（イ）針本体（１）の先端部分（２）と針目間隔保持目印部分（３）の区切りをはっきり識別できるように、
例えば先端部分（２）と針目間隔保持目印部分（３）を色分けする。
（ロ）針本体（１）の針目間隔保持目印部分（３）と糸通し穴（５）のある後端部分（４）の区切りをはっきり識別できるように、
例えば針目間隔保持目印部分（３）と後端部分（４）の区切りを色分けする。
本発明は以上のような構成である。
本発明を使用する際には、裁縫の運針で針が布から出る時、第２図で示されるように、針目間隔保持目印部分（３）が見え、後端部分（４）が見えないように
針先を布から出し、そのまま布に刺すことにより、
先端部分（２）の長さ＋針目間隔保持目印部分（３）の長さで
間隔が揃った針目ができる。
【符号の説明】
【０００８】  １  針本体
２  先端部分
３  針目間隔保持目印部分
４  後端部分
５  糸通し穴
【図１】
2020054768.tif 000003
【図２】
2020054768.tif 000004
【図３】
2020054768.tif 000005
(57)【要約】      （修正有）【課題】板海苔を細かく砕いて、好みの食品にふりかけて、風味や味覚を味わうことができる板海苔粉砕具を提供する。【解決手段】薄い金属板で成る掌サイズ長さのＶ溝体において、片端側数センチの領域を除いて、谷底部を成す中心線に沿って、左右交互に均等にズレて千鳥状に、三角形切り起し打ち抜き状に突設させて複数の粉砕刃１が設けてあり、片端側数センチ領域は握り部３をなす。使用するときは、握り部を握った後、縦にして、複数折にした板海苔の側面を、Ｖ溝に沿って上下に摺動させ、互い違いに並んだ粉砕刃にこすれ合って板海苔を砕く。【選択図】図１
2020054770.tif 000002
【特許請求の範囲】
【請求項１】
薄い金属板で成る掌サイズ長さのＶ溝体において、片端側数センチの領域を除いて、谷底部を成す中心線に沿って、左右交互に均等にズレて千鳥配置状に、三角形切り起こし打ち抜き状に複数の粉砕刃が突設させてあり、片側数センチ領域は握り部を成すことを特徴とする板海苔粉砕具。
【発明の詳細な説明】
【技術分野】
【０００１】  本発明は板海苔を細かく砕く小型の板海苔粉砕具に関するものである。
【背景技術】
【０００２】  従来、板海苔に孔を穿設するカッターが知られている（特許文献１参照）
また板海苔を細かい筋状に刻む用具も知られている（特許文献２参照）
【先行技術文献】
【特許文献】
【０００３】
【特許文献１】実用新案登録第３１３９５６０号公報
【特許文献２】実開平４−１１２３３９号公報
【発明の概要】
【発明が解決しようとする課題】
【０００４】  そのために次のような問題点があった。
（イ）特許文献１に示される先行技術は、定型の孔をあけるだけであり、目を楽しませる      に過ぎず、構造も複雑である。
（ロ）特許文献２に示される先行技術は、規則的な筋状に刻むものであり、ハンドルが多      くの刃を回転させたりする機構体であって明らかにコスト高である。
（ハ）海苔の風味は何より砕くに限るのであるが、手で細かくちぎるのは結構難しく、叉      なんども多くの箇所を強く指先を押し付けることになって、衛生的でない。
本発明は以上の問題点を解決するものである。
【課題を解決するための手段】
【０００５】  薄い金属板で成る掌サイズ長さのＶ溝体において、片端側数センチの領域を除いて、谷底部を成す中心線に沿って、左右交互に均等にズレて千鳥配置状に、三角形切り起し打ち抜き状に突設させて複数の粉砕刃が設けてあり、片端側数センチ領域は握り部を成す。
以上を特徴とする板海苔粉砕具である。
【発明の効果】
【０００６】  手動でごく簡単に操作出来て、手で細かくちぎり砕くのと同じような風味を保持しつつ、手早く衛生的に砕き海苔が作れる。箸やスプーン１本分の収納スペースがあればよく、食卓に常備しても邪魔にならない。お椀によそいだご飯の真上で砕き、パラパラとまぶして即新鮮な風味を口にできる格別の味わいが楽しめる。
【図面の簡単な説明】
【０００７】
【図１】  本発明の斜視図
【図２】  本発明の平面図
【図３】  本発明の側面図
【図４】  本発明の使用状態を示したイメージ斜視図
【発明を実施するための形態】
【０００８】以下、本発明の実施の形態について説明する。
薄い金属板で成る掌サイズ長さのＶ溝体において、片端側数センチの領域を除いて、谷底部を成す中心線に沿って、左右交互に均等にズレて千鳥状に、三角形切り起し打ち抜き状に突設させて複数の粉砕刃が設けてあり、片端側数センチ領域は握り部をなす。
本発明は以上のような構成である。
本発明を使用するときは、（３）の  握り部を握った後、縦にして、複数折にした板海苔の側面を、Ｖ溝に沿って上下に摺動させ、互い違いに並んだ粉砕刃（１）にこすれ合って板海苔を砕くものである。
砕かれた海苔は切り起こし孔（２）からも外に出るが、ほとんどは砕く面の溝からおちる。
【符号の説明】
【０００９】    １  粉砕刃
２  切り起こし孔
３  握り部
４  板海苔
５  砕かれた海苔
【図１】
2020054770.tif 000003
【図２】
2020054770.tif 000004
【図３】
2020054770.tif 000005
【図４】
2020054770.tif 000006
(57)【要約】      （修正有）【課題】実、芯、穂軸までアントシアニンを高含有させることにより、利用できる部位を増やした紫とうもろこしの提供。【解決手段】ゴールデンバンダムという品種において、突然変異によって生まれたアントシアニン高含有紫とうもろこし（品種登録：第３２２６５）であり、毛、芯、実、穂軸まで紫色を呈し、２５年以上安定して栽培されている日本の紫とうもろこし。日本のアントシアン向上技術を組み込んだことにより、含有されるアントシアニン量（総アントシアニン、シアニジン‐３‐グルコシドとして）が、若とりでも１００ｇ当り１０００ｍｇ以上であり、成熟時には６０００ｍｇ以下を含有する日本の紫とうもろこし。【選択図】図１
2020150927.tif 000002
【特許請求の範囲】
【請求項１】
ゴールデンバンダムという品種を栽培していたところ、突然変異によって生まれた毛、芯、実、穂軸まで紫色に呈し２５年以上安定している日本の紫とうもろこし
【請求項２】
約３０年位前に栽培時に突然オレンジ色のとうもろこしが現れ、その種子が次期播種より実、ひげ、芯、全て濃い紫色となり、その後２５年以上安定して栽培している紫とうもろこし（品種登録：第３２２６５号）
【請求項３】
日本のアントシアン向上技術を組み込んだによって、含有されるアントシアニン量が（総アントシアニン、シアニジン‐３‐グルコシドとして）が若とりでも１００ｇ当り１０００ｍｇ以上であり、成熟時には６０００ｍｇ以下を含有する日本の紫とうもろこし
【請求項４】
日本のアントシアニン向上技術を組み込む事によって、高含有アントシアニン、β―シトステロール、ケルセチン、ゼアキサンチンを含有し、穂軸で紫色に呈色した紫とうもろこし
【発明の詳細な説明】
【技術分野】
【０００１】  本発明は、日本の独自栽培技術を導入することにより生産される、アントシアニン高含有紫とうもろこしに関する技術。
【背景技術】
【０００２】  栽培当初、ゴールデンバンダムという黄色からオレンジ色に呈したとうもろこしを栽培していた。ある日、収穫時に１本だけオレンジ色から紫色に呈した実が１本収穫された。そこで、次期播種期にこれを種子にして栽培したところ、発芽して成熟した実が紫色に変色した。これは、面白いと思い栽培を続けて２５年以上安定して栽培されている。
【発明の概要】
【発明が解決しようとする課題】
【０００３】  今までの日本のとうもろこしは、穂軸の色は白色が一般的で、家畜などの餌として利用されることが多かった。廃棄する部位もあった。
【課題を解決するための手段】
【０００４】  本発明は、日本の栽培技術を導入することにより、トウモロコシを丸ごと人間の食物として提供するために、家畜の餌や肥料として使用していた穂軸にも、アントシアニンを高含有させることで、廃棄する部分を最小限に抑えることにある。
【発明の効果】
【０００５】  本発明により、今まで廃棄などしていた穂軸の部位も食品や健康食品、医薬品などの広範囲の分野で利用することができる。少しでも廃棄物を無くし商業的にも利用できることにある。
【産業上の利用可能性】
【０００６】  本発明により、日本の栽培技術によって他の同植物と差別化することができ、紫とうもろこしに限らず産業用に使用されてきた穂軸も、機能性のある素材の一部として、人間だけでなく幅広い分野で使用されることにある。
【図面の簡単な説明】
【０００７】
【図１】  収穫実
【図２】  収穫時全体図
【図３】  芯
【図４】  毛
【図１】
2020150927.tif 000003
【図２】
2020150927.tif 000004
【図３】
2020150927.tif 000005
【図４】
2020150927.tif 000006
(57)【要約】      （修正有）【課題】マルチ栽培における追肥の施肥を効率的に行う施肥器具を提供する。【解決手段】肥料投入口１と肥料を移送させる筒状部２とマルチフィルムに穴を開け土壌に筒状部２を埋入させる穿孔部、および穿孔部に土壌が侵入することを防ぐ開閉蓋４を備え、穿孔部は土壌に挿入できる程度に鋭利にして、開閉蓋４は施肥器具を土壌中から引き上げた際に開く構造とした時に、穿孔部を引き上げると開閉蓋４が開き肥料が土壌中に施肥されることで、作業が簡便化し、また肥料が土壌中に投入されるため肥料の流亡を防ぐことができる。【選択図】図２
2020167980.tif 000002
【特許請求の範囲】
【請求項１】
マルチフィルムを穿孔し肥料を移送するための筒状部を土壌中に埋入させた際に筒状部への土の侵入を防ぎ、引き上げた際に開口して肥料を落下させる構造を特徴とする施肥器具。
【発明の詳細な説明】
【技術分野】
【０００１】
本発明は、マルチ栽培における施肥器具に関するものである。
【先行技術文献】
【特許文献】
【０００２】
【特許文献１】特開2008-125512(P2008-125512A)
【発明の概要】
【発明が解決しようとする課題】
【０００３】
従来、マルチ栽培で追肥する場合、マルチフィルムをめくる、もしくはフィルムに開口穴を形成し、その後、施肥するため、作業能率が低く労働負担も大きい。また土壌表面に施肥するため肥料が流亡しやすく肥料効果も十分に発揮されにくいという問題点があった。
【課題を解決するための手段】
【０００４】
肥料投入口1と肥料を移送させる筒状部2とマルチフィルムに穴を開け土壌に筒状部2を埋入させる穿孔部3、および穿孔部3に土壌が侵入することを防ぐ開閉蓋4を備え、穿孔部3は土壌に挿入できる程度に鋭利な構造を特徴とし、開閉蓋4は本施肥器具を土壌中から引き上げた際に開く特徴をもつ施肥器具。
【０００５】
開閉蓋4は穿孔部3の断面よりも大きく構成することで、穿孔部3を引き上げた際に周囲の土により開口しやすくなる。
【発明の効果】
【０００６】
穿孔部3によりマルチフィルムに穴を開け、土壌に筒状部2を埋入させ、肥料を投入し、穿孔部3を引き上げると開閉蓋4が開き肥料が土壌中に施肥されることで、作業が簡便化し、また肥料が土壌中に投入されるため肥料の流亡を防ぐことができる。
【図面の簡単な説明】
【０００７】
【図１】本施肥器具の実施方法を示した断面図である。（実施例１）
【図２】本施肥器具の使用状態を示す説明図である。
【発明を実施するための形態】
【０００８】
肥料投入口1を持つ筒状の棒の先に土壌に埋入できる程度に鋭利な穿孔部3および埋入時に穿孔部3に土が入らないための開閉蓋4を取り付ける。
【実施例１】
【０００９】
図１は、本施肥器具の１実施例の断面図である。
図2は、本施肥器具の実施例1の使用状態を示す説明図である。
【００１０】
本施肥器具をマルチフィルムによって被覆された土壌に差し込み穿孔部3が土壌中に埋入したのち肥料を投入し本施肥器具を引き上げると開閉蓋が開き土壌中に肥料が施肥される。
【００１１】
本発明の主体は開閉蓋4をもつ穿孔部3の構造にあるので、肥料投入口1および筒状部2の形状は問わない。
【産業上の利用可能性】
【００１２】
本発明の施肥構造は薬剤散布、播種の用途にも利用することができる。
【符号の説明】
【００１３】
１ 肥料投入口
２ 筒状部
３ 穿孔部
４ 開閉蓋
５ 肥料
【図１】
2020167980.tif 000003
【図２】
2020167980.tif 000004
(57)【要約】【課題】綴じ手帳の難点だった自由度の低さを解消するために、ルーズリーフの機能を持つ、綴じ具つき手帳カバーを提供する。【解決手段】手帳カバー本体１に綴じ具２を取り付けることにより、一冊で綴じ手帳とルーズリーフの両方の機能を持つ手帳とする。また、綴じ手帳とルーズリーフに連続性を持たせるため、綴じ具２に綴じることができる、仕切り兼差し込み４を有する。【選択図】図１
2020049924.tif 000002
【特許請求の範囲】
【請求項１】
手帳カバー本体１に、綴じ手帳を固定するための差し込み３と、ルーズリーフ用の綴じ具２を有し、綴じ手帳とルーズリーフを一冊の手帳として使用できることを特徴とする手帳カバー。
【請求項２】
綴じ手帳とルーズリーフに連続性を持たせて使いやすくするために、綴じ具２に綴じることができる、仕切り兼差し込み４を有することを特徴とする手帳カバー。
【請求項３】
綴じ手帳、ルーズリーフにはサイズや形状など様々な種類のものがあるため、各部品に関して、必要な機能を有するものであれば、サイズ、材質、デザインは特定しない。
【発明の詳細な説明】
【技術分野】
【０００１】本発明は綴じ手帳とルーズリーフを一体にし、一冊の手帳として使用できるようにした手帳カバーに関するものである。
【背景技術】
【０００２】従来、綴じ手帳とルーズリーフは別々のものであり、一冊の手帳として使用できる手帳カバーはなかった。
【発明の概要】
【発明が解決しようとする課題】
【０００３】綴じ手帳の難点として、カスタマイズの自由度が低く、限られた枚数にも関わらず、不要になってしまったページが残ったり、綴じ手帳を入れ替える際、残したい情報だけを残すことができず、書き写さなければならないといったものがあった。
また、綴じ手帳とルーズリーフのお互いが固定されずに、連続性がない状態だと、不安定で使いにくい。
本発明はこの難点を解消するためのものである。
【課題を解決するための手段】
【０００４】手帳カバー本体１に綴じ具２を取り付けることによって、綴じ手帳とルーズリーフを一冊の手帳として使用できるようにした。
また、手帳カバー本体１を開く際に、綴じ手帳とルーズリーフのお互いが固定されていない状態だと、安定感がなく使いづらくなることを防ぐために、綴じ具２に綴じることができる、仕切り兼差し込み４を付属させる。
【発明の効果】
【０００５】綴じ手帳とルーズリーフの機能を一冊にまとめることにより、綴じ手帳の利便性を活かしながら、任意でルーズリーフの増減、着脱が可能となり、一冊の手帳として自由にカスタマイズできる。
また、綴じ手帳とルーズリーフのお互いを固定することにより、連続性のある一冊の手帳として使用できるため、不安定さがなくなり、より使いやすいものとした。
【図面の簡単な説明】
【０００６】
【図１】  本発明の見開き図である。
【図２】  本発明を上から見た図である。
【発明を実施するための形態】
【０００７】以下、本発明の実施の形態について説明する。
（イ）．綴じ具２に仕切り兼差し込み４を綴じる。
（ロ）．綴じ手帳の表紙をそれぞれ差し込み３、仕切り兼差し込み４に差し込む。
（ハ）．綴じ具２に任意のルーズリーフを綴じる。
【符号の説明】
【０００８】  １  手帳カバー本体
２  綴じ具
３  差し込み
４  仕切り兼差し込み
【図１】
2020049924.tif 000003
【図２】
2020049924.tif 000004
(57)【要約】【課題】大人も子供も使える学習用椅子【解決手段】足かけが踏み台のように足を乗せると丈夫な足かけとクッションを作る【特許請求の範囲】
二段差のある足かけ
クッションが取り外せること
背もたれが子供用
座椅子の高さは大人用
【発明の詳細な説明】
【技術分野】
【０００１】椅子の発案は多かったが学習用、勉強用の椅子の特許は少ない
【背景技術】
【０００２】安定した足かけを２段作り、勉強に集中できるか考えた
【発明の概要】
【発明が解決しようとする課題】
【０００３】足かけの上の段とクッションつけたりしなかったりして簡単に大人と子供の椅子になれるか
【課題を解決するための手段】
【０００４】足を４角で上の足かけの大きさは子供用
下の足かけの大きさは大人用で子供の倍で
２段ずらした２段差のある足かけにする
椅子のクッションを椅子の上に子供に合わせてｔ
硬い革張りのクッションをつける
クッションも取り外せる
背もたれは子供用くらいにする
【発明の効果】
【０００５】足かけがあるので足を乗せると姿勢が良くなる
足かけを踏み台と同じ強度にすることで足に力がはいりやすい
【図面の簡単な説明】
【０００６】なし
【発明を実施するための形態】
【０００７】正面から見ると足かけの中が空いており二段目の足かけは見せない
また足かけは踏み台と同じくらい丈夫な足かけにする
椅子の高さは大人用の高さでその上に幼児用にクッションを乗せてある
横から見ると段差のある椅子
背もたれは子供用の背もたれの大きさ
全体からみると四角い椅子
【産業上の利用可能性】
【０００８】今までにない椅子なので興味を持った方が座り
出来上がりが良ければ購入されると考えている
(57)【要約】      （修正有）【課題】ロングヘアーにしていることにより、他人に不快感を与えたり、自分自身も肩身の狭い思いをする。食事の時・手作業の時等髪が落ち妨げになる。【解決手段】ホルダーにフックを付け後ろから回し左右のイヤリングに掛けることにより髪が抑えられ落ちることを防ぐことが出来る。【選択図】図１
2020049191.tif 000002
【特許請求の範囲】
【請求項１】
ロングヘアーを纏める
【請求項２】
耳を利用する
【請求項３】
ロングヘアーの後ろを飾る
【請求項４】
イヤリングを利用する
【請求項５】
イヤリングは外さなくてもよい
【請求項６】
ホルダーとイヤリングを自由に取り換える事が出来る
【請求項７】
いつでも何処でも取付け取り外し自由
【請求項８】
色々なデザインの製品と付け替えることが出来る
【請求項９】
髪飾りでロングヘアーを抑えることが出来る
【請求項１０】
左右のイヤリングにフックを掛ける
【請求項１１】
後ろで耳から耳を繋ぐ事を特徴とするホウルド・イヤリング。
【発明の詳細な説明】
【技術分野】
【０００１】本発明はロングヘアーの欠点を解決するための発明であるホウルド・イヤリングに関するものである。
【背景技術】
【０００２】従来、ロングヘアーを纏めるには輪ゴムがあった。
また、バンダナやハンカチ等があった。
【先行技術文献】
【特許文献】
【０００３】
【特許文献１】
【特許文献２】
【発明の概要】
【発明が解決しようとする課題】
【０００４】（イ）いつも他人に迷惑を掛けてはいないか気になる。
（ロ）人混みの中で髪が巻き込まれる。
（ハ）食事・手作業等仕事をする時髪が落ちてきて邪魔になる。
本発明は、これらの問題点を解決するためになされたものである。
【課題を解決するための手段】
【０００５】（イ）ロングヘアーを纏める
（ロ）耳を利用する
（ハ）ロングヘアーの後ろを飾る
（ニ）イヤリングを利用する
（ホ）イヤリングは外さなくてもよい
（ヘ）ホルダーとイヤリングを自由に取り換える事が出来る
（ト）いつでも何処でも取付け取り外し自由
（チ）色々なデザインの製品と付け替えることが出来る
（リ）髪飾りでロングヘアーを抑えることが出来る
（ヌ）左右のイヤリングにフックを掛ける
（ル）後で耳から耳を繋ぐ事
以上を特徴とするホウルド・イヤリングである
【発明の効果】
【０００６】（イ）他人に迷惑をかけることがなくなる
（ロ）食事や仕事の妨げにならない
（ハ）何時でも何所でも付け外しが出来る
（ニ）ティアラのようにロングヘアーの後を飾ることが出来る
（ホ）
【図面の簡単な説明】
【０００７】
【図１】（イ）ホルダー  （ロ）▲１▼フック
【図２】（イ）▲２▼イヤリング  （ロ）▲３▼イヤリングに▲１▼のフックを掛けた  （ハ）イヤリングにフックを掛けたホウルド・イヤリングを後ろからつける
【発明を実施するための形態】
【０００８】〔図２〕のように、本発明はどの様なイヤリングにでもフックによって装着が出来るので、イヤリングを装着したまま利用できる様な構成である。
【実施例】
【０００９】イヤリングにフックを掛けたホウルド・イヤリングを後ろから回して耳に着ける
【図１】
2020049191.tif 000003
【図２】
2020049191.tif 000004
(57)【要約】【課題】本発明はスケールで量らなくても一定量のバターを切り取ることができる一定量に切れる四角いバターナイフを提供するものである。【解決手段】バターナイフ１の取り出し用柄２の先に柄の目盛り壁３を設け内側には一定量を表示する目盛り４が取り付けられ、柄の目盛壁３に対して直角に伸びた底面壁５を設け、底面壁５の先に底面壁５と直角になるように先端の目盛り壁６を設け、内側には一定量を表示する目盛り４が取り付けられ、底面壁５の前方は開口部７が設けられ、柄の目盛り壁３と底面壁５と先端の目盛り壁６の下部に鋭いギザギザ８を設けバターを切り取り易くしたことを特徴とする一定量に切れる四角いバターナイフ。【選択図】図１
2020049192.tif 000002
【特許請求の範囲】
【請求項１】
（イ）バターナイフ（１）の取り出し用柄（２）の先に柄の目盛り壁（３）を設け内側には一定量を表示する目盛り（４）が取り付けられている、
（ロ）柄の目盛壁（３）に対して直角に伸びた底面壁（５）を設ける、
（ハ）底面壁（５）の先に底面壁（５）と直角になるように先端の目盛り壁（６）を設け、内側には一定量を表示する目盛り（４）が取り付けられている、
（ニ）底面壁（５）の前方は開口部（７）が設けられていて、
（ホ）柄の目盛り壁（３）と底面壁（５）と先端の目盛り壁（６）の下部に鋭いギザギザ（８）を設けバターを切り取り易くする、
以上を特徴とする一定量に切れる四角いバターナイフ。
【請求項２】
取り出し用柄（２）を柄の目盛り壁（３）に対して垂直に曲げ、直立の柄（１１）を設けた請求項１の一定量に切れる四角いバターナイフ。
【発明の詳細な説明】
【技術分野】
【０００１】  本発明は、スケールで量らなくても一定量のバターを切り取ることができる一定量に切れる四角いバターナイフに関するものである。
【背景技術】
【０００２】  従来、バターナイフでバターを切り取り、スケールに乗せて必要量を量っていた。又、特許文献１のようにバターなどの食品カッタ−が知られていた。
【先行技術文献】
【０００３】
【特許文献１】特開２０１６−１５０４１８号広報
【発明の概要】
【発明が解決しようとする課題】
【０００４】  次のような問題点があった。
（イ）バターを必要量用意する際、スケールを使用しなければならなかった。
（ロ）特許文献１ではケースにいれたまま切り取るバターナイフはあったが、一定量を表示する目盛りが無く、目分量でバターを切り取るので一度に必要量を取ることはできなかった。
（ハ）必要量になるまでスケールにバターを乗せたり戻したり手間が掛かり面倒であった。
本発明は、これらの問題点を解決するためになされたものである。
【課題を解決するための手段】
【０００５】（イ）バターナイフの取り出し用柄の先に柄の目盛り壁を設け内側には一定量を表示する目盛りが取り付けられている。
（ロ）柄の目盛壁に対して直角に伸びた底面壁を設ける。
（ハ）底面壁の先に底面壁と直角になるように先端の目盛り壁を設け、内側には一定量を表示する目盛りが取り付けられている。
（ニ）底面壁の前方は開口部が設けられている。
（ホ）柄の目盛り壁と底面壁と先端の目盛り壁の下部に鋭いギザギザを設け、バターを切り取り易くする。
以上の構成よりなる一定量に切れる四角いバターナイフである。
【発明の効果】
【０００６】（イ）必要な量のバターを量るのにスケールを使わずにすむ。
（ロ）本発明は目盛りが取り付けられているので、一度で必要量のバターを切り取れ、何度もスケールにバターを取ったり戻したりしなくて済み、手間が掛からず面倒でない。
（ハ）本発明はバターと接する面が少ないので、バターがナイフから剥がれやすく、レストランで出てくる様な綺麗な四角いバターを簡単に切ることができる。
【図面の簡単な説明】
【０００７】
【図１】本発明の斜視図である。
【図２】本発明を使用した状態図である。
【図３】側面のあるバター容器から取り出せるバターナイフの斜視図である。
【図４】側面のあるバター容器から取り出せるバターナイフを使用した状態図である。
【発明を実施するための形態】
【０００８】  以下、本発明の実施の形態について説明する。
（イ）バターナイフ（１）の取り出し用柄（２）の先に柄の目盛り壁（３）を設け内側には一定量を表示する目盛り（４）が取り付けられている。
（ロ）柄の目盛壁（３）に対して直角に伸びた底面壁（５）を設ける。
（ハ）底面壁（５）の先に底面壁（５）と直角になるように先端の目盛り壁（６）を設け、内側には一定量を表示する目盛り（４）が取り付けられている。
（ニ）底面壁（５）の前方は開口部（７）が設けられていて、バター（９）の取り出し部となる。
（ホ）柄の目盛り壁（３）と底面壁（５）と先端の目盛り壁（６）の下部に鋭いギザギザ（８）を設け、バターを切り取り易くする。
本発明は以上の様な構成である。
【０００９】  本発明を使用する時は、バターナイフ（１）の柄の目盛壁（３）と先端の目盛壁（６）の内側の一定量を表示する目盛り（４）をバター（９）の端に合わせて、バターナイフ（１）をバター（９）に垂直に下まで差し込み開口部（７）の方向へ引っ張ると一定量にバター（９）を切り取ることができる。例えば使用前の２００ｇのバター（９）で底面壁（５）が３ｃｍ、一定量を表示する目盛り（４）が１．２ｃｍで切り取ると１０ｇが切れる。また、一定量を表示する目盛り（４）が０．６ｃｍなら５ｇ、１．８ｃｍなら１５ｇが切れる。
【００１０】  なお、バター（９）が側面のあるケース（１０）に入っている場合は、開口部（７）の方向に引っ張ることができないので、取り出し用柄（２）を柄の目盛り壁（３）に対して垂直に曲げ、直立の柄（１１）を設けてもよい。
すると上方へバターを引っ張り出すことができる。
従来、側面のあるケースに入れた状態で切り分けることができるバターナイフがあったが、一定量を量ることはできなかった。
【符号の説明】
【００１１】１    バターナイフ
２    取り出し用柄
３    柄の目盛り壁
４    一定量を表示する目盛り
５    底面壁
６    先端の目盛り壁
７    開口部
８    鋭いギザギザ
９    バター
１０  側面のあるケース
１１  直立の柄
【図１】
2020049192.tif 000003
【図２】
2020049192.tif 000004
【図３】
2020049192.tif 000005
【図４】
2020049192.tif 000006